(57)【要約】【課題】俎板のケースへの出し入れ時、食器類にあたることがなく、あるいは邪魔になることなく、俎板の収納が容易で、ケーススペースの有効活用が可能な食器乾燥器を提供する。【解決手段】本食器乾燥器は、本体とこの本体上に設けられる蓋体により形成され、食器かごに載置される食器類を収納するケースと、このケースに温風を供給する温風供給装置を備えた食器乾燥器において、ケースの上部に、俎板を載置する俎板載置部を設ける。【選択図】  図２
2008259761.tif 000002
【特許請求の範囲】
【請求項１】
本体とこの本体上に設けられる蓋体により形成され、食器かごに載置される食器類を収納するケースと、このケースに温風を供給する温風供給装置を備えた食器乾燥器において、前記ケースの上部に、俎板を載置する俎板載置部を設けることを特徴とする食器乾燥器。
【請求項２】
前記俎板載置部はケースの上部かつ後方に、奥行き方向に下り勾配に傾斜して設けられることを特徴とする請求項１に記載の食器乾燥器。
【請求項３】
前記ケースは本体に固定された固定蓋体と、前記本体に回動自在に軸支された前面蓋体と、この前面蓋体と固定ケース部との間に設けられ、前記本体に回動自在に軸支された中間蓋体とからなり、この中間蓋体を俎板載置部の延長線上に設け、前記中間蓋体を開放して、俎板の前記ケースへの収納、取り出しを行うことを特徴とする請求項２に記載の食器乾燥器。
【請求項４】
前記俎板載置部は、本体から立設する複数本の縦線材とこの複数本の縦線材を連結する横線材からなることを特徴とする請求項１ないし３に記載の食器乾燥器。
【請求項５】
前記俎板載置部の線材の先端には、合成樹脂製のキャップが取付けられることを特徴とする請求項４に記載の食器乾燥器。
【発明の詳細な説明】
【技術分野】
【０００１】
本発明は食器乾燥器に係り、特に、俎板も乾燥できるように、ケース内に俎板を載置する俎板載置部を設けた食器乾燥器に関する。
【背景技術】
【０００２】
従来、食器類を温風乾燥させる温風供給装置を備えた食器乾燥器は、ケース内部の食器かごに着脱自在に取付け、ケース内部に温風を吹き出し、食器かごに収容した食器を乾燥すると共に、ケース内部に収容した俎板を乾燥している（特許文献１、２）。
【０００３】
しかしながら、特許文献１、２に記載の食器乾燥器は、食器類を収容する食器かごの後方に俎板収納部を設け、俎板を垂直に立てた状態で収納し、乾燥しており、食器類が収納されていると俎板の出し入れ時に食器類に当ったり、食器類が倒れたり、あるいは食器類が邪魔になり、収納しにくく、また、俎板収納部により食器かごの奥行き寸法が小さくなり、食器類の収納容積を減じるという問題があった。
【特許文献１】特開平１０−３１４１０３号公報
【特許文献２】特開２００１−８８８３号公報
【発明の開示】
【発明が解決しようとする課題】
【０００４】
本発明は上述した事情を考慮してなされたもので、俎板のケースへの出し入れ時、食器類にあたることがなく、あるいは邪魔になることなく、俎板の収納が容易で、ケーススペースの有効活用が可能な食器乾燥器を提供することを目的とする。
【課題を解決するための手段】
【０００５】
上述した目的を達成するため、本発明に係る食器乾燥器は、本体とこの本体上に設けられる蓋体により形成され、食器かごに載置される食器類を収納するケースと、このケースに温風を供給する温風供給装置を備えた食器乾燥器において、前記ケースの上部に、俎板を載置する俎板載置部を設けることを特徴とする。
【発明の効果】
【０００６】
本発明に係る食器乾燥器によれば、俎板のケースへの出し入れ時、食器類にあたることがなく、あるいは邪魔になることなく、俎板の収納が容易で、ケーススペースの有効活用が可能な食器乾燥器を提供することができる。
【発明を実施するための最良の形態】
【０００７】
本発明の一実施形態に係る食器乾燥器について添付図面を参照して説明する。
【０００８】
図１は本発明に係る食器乾燥器の蓋体を開けた状態での正面図であり、図２はその側面断面図、図３は蓋体を閉じた状態の側面断面図、図４は蓋体を閉じた状態の側面図である。
【０００９】
図１〜図４に示すように、本発明に係る食器乾燥器１は、ケース２が設けられ、このケース２は本体３とこの本体３上に設けられる蓋体４により形成され、食器類が載置される食器かご５を収納し、ケース２に温風を供給する温風供給装置６を備える。
【００１０】
本体３は不透明合成樹脂製で扁平矩容器状をなし、その内部には、温風供給装置６が収容され、この温風供給装置６はファン７ａとモータ７ｂからなる送風機７と、この送風機７に通風路８を介して連通されるヒータ９からなり、本体３の底部に設けられた空気吸込口１０から吸込まれた空気を加熱して、本体３後面側に設けた温風吹出口１１からケース２内に吹き出し、ケース２内の食器類を乾燥する。
【００１１】
また、蓋体４はケース２を形成するように膨出する透明合成樹脂製の固定蓋体４ａと、ケース２の一部を構成するように膨出する透明合成樹脂製の前面蓋体４ｂと、固定蓋体４ａと前面蓋体４ｂ間に介在し、空気排出口４ａ１が設けられた中間蓋体４ｃが、回動自在にヒンジ４ｄにより本体３に軸支されて形成されている。
【００１２】
本体３の上部開口部には食器類Ｖから落ちる水滴などを受けるステンレス製のシンク１２が設けられ、さらに、このシンク１２には食器かご５が載置されている。
【００１３】
この食器かご５はステンレス製で、太めの線材からなるかご枠５ａに、所定の間隔を設けて網状かつかご状に形成するようにかご線材５ｂを多数取付けてなる。
【００１４】
また、ケース２の上部には、俎板Ｐを載置する俎板載置部１３が設けられる。ケース２の上部のデッドスペースを利用して俎板載置部１３を設けるので、スペース効率がよくなって、多くの食器類Ｖの収納が可能となる。
【００１５】
また、俎板載置部１３はケース２の上部かつ後方に、奥行き方向に下り勾配（前下がりに）傾斜して設け、さらに、俎板載置部１３の延長線上に中間蓋体４ｃが位置するように本体３に回動自在に軸支される中間蓋体４ｃを開放して、俎板Ｐのケース２への収納、取り出しを行う。このような構造にすることにより、スペース効率がよくなると共に、俎板Ｐのケース２への安定した収納が可能となり、さらに、食器かご５に食器が収納されていても、ケース２へ俎板Ｐを収納することも、取り出しも容易になる。
【００１６】
さらに、俎板載置部１３は、本体３から立設する複数本の縦線材１３ａとこの縦線材１３ａに固着され、縦線材１３ａを連結して平行に保つ横線材１３ｂからなり、この線材１３ａの先端には、合成樹脂製のキャップ１３ｃが取付けられる。俎板載置部１３を縦線材１３ａ、横線材１３ｂで構成することにより、温風の流れを妨げることがなく、俎板Ｐは確実かつ迅速に乾燥される。また、キャップ１３ｃを設けることにより、俎板Ｐは線材１３ａで線接触によって支持されるのでなく、キャップ１３ｃと線材の一部とで点接触により支持されるため、俎板と線材との接触部分が少なくなり、衛生的かつ速やかに乾燥される。
【００１７】
なお、図中符号１４は本体３に着脱自在に挿入されシンク１２から落下する水を受ける水受けカップであり、符号１５はシンク１２が載置される合成樹脂製の仕切板である。
【００１８】
本実施形態の食器乾燥器によれば、俎板のケースへの出し入れ時、食器類にあたることがなく、あるいは邪魔になることなく、俎板の収納が容易で、ケーススペースの有効活用が可能な食器乾燥器が実現される。
【図面の簡単な説明】
【００１９】
【図１】本発明に係る食器乾燥器の蓋体を開けた状態での正面図。
【図２】本発明の食器乾燥器の側面断面図。
【図３】本発明の食器乾燥器の蓋体を閉じた状態の側面断面図。
【図４】本発明の食器乾燥器の蓋体を閉じた状態の側面図。
【符号の説明】
【００２０】
１  食器乾燥器
２  ケース
３  本体
４  蓋体
４ａ  固定蓋体
４ｂ  前面蓋体
４ｃ  中間蓋体
５  食器かご
６  温風供給装置
７  送風機
８  通風路
９  ヒータ
１０  空気吸込口
１１  温風吹出口
１２  シンク
１３  俎板載置部
１３ａ  線材
１３ｂ  横線材
１３ｃ  キャップ
１４  水受けカップ
１５  仕切板
【図１】
2008259761.tif 000003
【図２】
2008259761.tif 000004
【図３】
2008259761.tif 000005
【図４】
2008259761.tif 000006